(57)【要約】【課題】排水を外部排水管にスムーズに排出できるようにして、汚物の排出性能や搬送性能を向上できる可動式排出機構を備えた水洗便器を提供する。【解決手段】ボウル部１２の排水路１６に接続された可動トラップ１７が略上向きの封水位置Ｕと略下向きの排水位置Ｄとに反転回動される可動式排出機構２２を備えた水洗便器１０において、可動トラップ１７の排出口１７ａに、可動トラップ１７が封水位置Ｕから排水位置Ｄに下向き回動される時に、回動方向に排水を誘導する誘導部１７ｂを形成することにより、可動トラップ１７が排水位置Ｄに下向き回動される途中では、排出口１７ａから汚物混じりの排水がケース１５内に排出されにくくなるので、排水が外部排水管２１にスムーズに排出されようになる。【選択図】図２
2007285098.tif 000002
【特許請求の範囲】
【請求項１】
ボウル部の排水路に接続された可動トラップが略上向きの封水位置と略下向きの排水位置とに反転回動される可動式排出機構を備えた水洗便器において、
前記可動トラップの排出口に、可動トラップが封水位置から排水位置に下向き回動される時に、回動方向に排水を誘導する誘導部を形成したことを特徴とする可動式排出機構を備えた水洗便器。
【請求項２】
前記誘導部は、排出口の内面に沿って外方に突出する凸部であることを特徴とする請求項１に記載の可動式排出機構を備えた水洗便器。
【請求項３】
前記誘導部は、排出口の内面から可動トラップの中心方向に突出する凸部であることを特徴とする請求項１に記載の可動式排出機構を備えた水洗便器。
【発明の詳細な説明】
【技術分野】
【０００１】
本発明は、可動式排出機構を備えた水洗便器に関する。
【背景技術】
【０００２】
従来、図５（ａ）（ｂ）に示すように、ボウル部１の排水路２に接続された可動トラップ３が略上向きの封水位置Ｕと略下向きの排水位置Ｄとに反転回動される可動式排出機構４を備えた水洗便器５がある（特許文献１参照）。
【０００３】
そして、ケース７内で可動トラップ３が排水位置Ｄに下向き回動されることで、ボウル部１内の汚物は、洗浄水とともに可動トラップ３の排出口３ａから外部排水管６に排出されるようになる。
【０００４】
このような可動トラップ３の反転回動で排水（溜水）が排出される水洗便器５では、排水の排出がスムーズに行われるようにすることは、汚物の排出性能や搬送性能において非常に重要なことである。
【特許文献１】特開平１１−２１００４８号公報
【発明の開示】
【発明が解決しようとする課題】
【０００５】
しかしながら、可動トラップ３の排出口３ａは、図６（ｂ）のように、一般的には円筒形状であったから、図６（ａ）のように、可動トラップ３が封水位置Ｕから排水位置Ｄに下向き回動される途中でも、排出口３ａから汚物混じりの排水がケース７内で上方にも排出されるようになるので（矢印ａ参照）、排水が外部排水管６にスムーズに排出されにくくなるという問題があった。
【０００６】
本発明は、前記問題を解消するためになされたもので、排水を外部排水管にスムーズに排出できるようにして、汚物の排出性能や搬送性能を向上できる可動式排出機構を備えた水洗便器を提供することを目的とするものである。
【課題を解決するための手段】
【０００７】
前記課題を解決するために、本発明は、ボウル部の排水路に接続された可動トラップが略上向きの封水位置と略下向きの排水位置とに反転回動される可動式排出機構を備えた水洗便器において、前記可動トラップの排出口に、可動トラップが封水位置から排水位置に下向き回動される時に、回動方向に排水を誘導する誘導部を形成したことを特徴とする可動式排出機構を備えた水洗便器を提供するものである。
【０００８】
請求項２のように、前記誘導部は、排出口の内面に沿って外方に突出する凸部である構成とすることが好ましい。
【０００９】
請求項３のように、前記誘導部は、排出口の内面から可動トラップの中心方向に突出する凸部である構成とすることが好ましい。
【発明の効果】
【００１０】
本発明によれば、可動トラップが排水位置に下向き回動される時に、排出口の誘導部で排水を回動方向に誘導するようにしたから、可動トラップが排水位置に下向き回動される途中では、排出口から汚物混じりの排水が上方（反回動方向）に排出されにくくなるので、排水が外部排水管にスムーズに排出されるようになり、汚物の排出性能や搬送性能が向上するようになる。
【００１１】
誘導部は、請求項２のように、排出口の内面に沿って外方に突出する凸部としたり、請求項３のように、排出口の内面に沿って外方に突出する凸部とすることで、構造が簡単であるとともに、既存の可動トラップでも排出口を交換するだけで適用することができる。
【発明を実施するための最良の形態】
【００１２】
以下、本発明を実施するための最良の形態について、図面を参照しながら詳細に説明する。
【００１３】
図１（ａ）（ｂ）に示すように、水洗便器１０は、スカート部１１とボウル部１２とリム部１３とで構成されて、リム部１３の上面部分には、開閉可能な蓋１４が取り付けられている。
【００１４】
スカート部１１内にはケース１５が設けられて、このケース１５内で、ボウル部１２の排水路１６に接続された可動トラップ１７が略上向きの封水位置Ｕと略下向きの排水位置Ｄとに反転回動されるようになる。可動トラップ１７は、屈曲可能なジャバラ状に形成されている。
【００１５】
ケース１５の側壁を水密に貫通する駆動軸１８が設けられ、ケース１５の内部において、駆動軸１８と可動トラップ１７の排出口１７ａとがリンク１９で連結されるとともに、ケース１５の外部において、駆動軸１８に電動モータ（不図示）が連結されている。ここで、可動トラップ１７、駆動軸１８、リンク１９、電動モータ等は、可動式排出機構２２を構成する。
【００１６】
そして、使用者がスイッチ操作等をすると、電磁弁２０が開いてボウル部１２の内部に洗浄水が供給され、次いで電動モータの正転により、駆動軸１８を介してリンク１９が図１（ａ）の状態から図１（ｂ）の状態に時計回り回動されると、リンク１９に連動して可動トラップ１７が封水位置Ｕから排水位置Ｄに回動されることで、ボウル部１２内の汚物は、洗浄水とともに可動トラップ１７の排出口１７ａから外部排水管２１に排出されるようになる。
【００１７】
その後、電動モータの逆転により、駆動軸１８を介してリンク１９が図１（ｂ）の状態から図１（ａ）の状態に反時計回り回動されると、リンク１９に連動して可動トラップ１７が排水位置Ｄから封水位置Ｕに回動され、次いでボウル部１２の内部の給水ラインまで洗浄水が供給されると、電磁弁２０が閉じて洗浄水の供給が停止されるようになる。
【００１８】
一方、可動トラップ１７の排出口１７ａには、図２のように、可動トラップ１７が封水位置Ｕから排水位置Ｄに下向き回動される時に、回動方向に排水を誘導する誘導部１７ｂを形成している。
【００１９】
具体的には、図３（ａ）（ｂ）に詳細に示す第１実施形態の誘導部１７ｂは、排出口１７ａの内面に沿って外方に突出する略半球状の凸部であり、この凸部の下部に下向きの楕円状開口１７ｃを形成している。
【００２０】
第１実施形態のように、可動トラップ１７の排出口１７ａに誘導部１７ｂを形成すれば、可動トラップ１７が排水位置Ｄに下向き回動される時に、排出口１７ａの誘導部１７ｂの曲面で排水が回動方向、つまり外部排水管２１の方向に誘導されるようになるから（矢印ｂ，ｃ参照）、可動トラップ１７が排水位置Ｄに下向き回動される途中では、排出口１７ａから汚物混じりの排水がケース１５内に排出されにくくなるので、排水が外部排水管２１にスムーズに排出されるようになり、汚物の排出性能や搬送性能が向上するようになる。
【００２１】
第１実施形態の誘導部１７ｂは、排出口１７ａの内面に沿って外方に突出する凸部であったが、図４（ａ）（ｂ）に詳細に示す第２実施形態の誘導部１７ｂのように、排出口１７ａの内面から可動トラップ１７の中心Ｏ方向に突出する三日月状の凸部とすることもできる。
【００２２】
第２実施形態であっても、第１実施形態と同様に、可動トラップ１７の排出口１７ａに誘導部１７ｂを形成すれば、可動トラップ１７が排水位置Ｄに下向き回動される時に、排出口１７ａの誘導部１７ｂの曲面で排水が回動方向、つまり外部排水管２１の方向に誘導されるようになるから（矢印ｂ，ｃ参照）、可動トラップ１７が排水位置Ｄに下向き回動される途中では、排出口１７ａから汚物混じりの排水がケース１５内で上方（反回動方向）に排出されにくくなるので、排水が外部排水管２１にスムーズに排出されるようになり、汚物の排出性能や搬送性能が向上するようになる。
【００２３】
可動トラップ１７の排出口１７ａの誘導部１７ｂは、第１および第２実施形態の形状に限られないが、第１および第２実施形態の誘導部１７ｂであれば、排出口１７ａに凸部を形成するだけで良く、構造が簡単であるとともに、既存の可動トラップ１７でも排出口１７ａを交換するだけで適用することができる。
【図面の簡単な説明】
【００２４】
【図１】本発明の実施形態に係る水洗便器であり、（ａ）は可動トラップが封水位置の側面断面図、（ｂ）は可動トラップが排水位置の側面断面図である。
【図２】本発明の実施形態に係る水洗便器であり、可動トラップが下向き回動途中の側面断面図である。
【図３】第１実施形態の排出口であり、（ａ）は拡大断面図、（ｂ）は誘導部の正面図である。
【図４】第２実施形態の排出口であり、（ａ）は拡大断面図、（ｂ）は誘導部の正面図である。
【図５】従来の水洗便器であり、（ａ）は可動トラップが封水位置の側面断面図、（ｂ）は可動トラップが排水位置の側面断面図である。
【図６】（ａ）は従来の水洗便器であり、可動トラップが下向き回動途中の側面断面図、（ｂ）は排出口の拡大断面図である。
【符号の説明】
【００２５】
１０    水洗便器
１２    ボウル部
１５    ケース
１６    排水路
１７    可動トラップ
１７ａ  排出口
１７ｂ  誘導部
２１    外部排水管
２２    可動式排出機構
Ｄ      排水位置
Ｕ      封水位置
【図１】
2007285098.tif 000003
【図２】
2007285098.tif 000004
【図３】
2007285098.tif 000005
【図４】
2007285098.tif 000006
【図５】
2007285098.tif 000007
【図６】
2007285098.tif 000008